(57)【要約】【課題】杖と靴べらが一体化された構造であって、杖として使用する際には靴べらが杖の柄として機能し、靴べらとして使用する際には杖が靴べらの柄として機能するようにして、杖と靴べらの使用をより利便にした靴べら兼用杖を提供する。【解決手段】靴べら２に設けられた回転板部４を杖５の上端に回動自在に取り付けてなり、前記靴べら２を前記杖５に対して直角に回動することにより該靴べら２を前記杖５の把持部とし、また前記靴べら２の先端を前記杖５に沿って真直ぐに伸ばした状態に回動することにより前記杖５を柄として前記靴べら２を使用するようにしたものである。【選択図】図１
0003104366.tif 000002
【実用新案登録請求の範囲】
【請求項１】
靴べらに設けられた回転板部を杖の上端に回動自在に取り付けてなり、前記靴べらを前記杖に対して直角に回動することにより該靴べらを前記杖の把持部とし、また前記靴べらの先端を前記杖に沿って真直ぐに伸ばした状態に回動することにより前記杖を柄として前記靴べらを使用するようにしたことを特徴とする靴べら兼用杖。
【請求項２】
靴べらに設けられた回転板部を杖の上端にネジで回動自在に取り付けてなり、前記ネジは緩み止めナットで締結するようにしたことを特徴とする請求項１記載の靴べら兼用杖。
【考案の詳細な説明】
【技術分野】
【０００１】
本考案は、靴べらと杖とが一体化したもので、必要に応じて、靴べらとして使用したり、杖として使用することができる靴べら兼用杖に関する。
【背景技術】
【０００２】
従来より、杖は足腰の弱い老人の必需品であり、歩行の際の身体を支える道具として使用することにより、老人の歩行を補助することができる。
【０００３】
ところで、靴を履くときは、靴に踵を入れるために屈む必要があるが、足腰の弱い老人にとって屈む動作は困難であるため、椅子や縁側等に腰をおろして靴を履くか、他の者に靴を履かせてもらう等の補助を必要とする。また、足腰の弱い老人が靴をはく際に、柄の長い靴べらがあれば便利であるが、そのような靴べらを携行するのは不便である。
【０００４】
そこで、足腰の弱い老人が常に使用する杖に靴べらを一体化した道具があれば便利となる。このような従来技術としては、特許文献１がある。
【０００５】
この文献に記載されている考案は、「靴脱着具杖並びに靴脱着具杖に用いる靴べら」と称するもので、その構成は、図６(ａ）又は(ｂ）に示すように、機能的には可動部を一切持たない構造であり、靴べら３１としての板状物と杖３２としての棒状物とからなり、これらの部材を靴３３の踵を跨ぐ二股に設けたものである。なお、この文献の構造には、靴べら３１を靴３３の踵の内部に入れ、杖３２の先端を踵から外に出した状態にして、杖３２を靴３３の後方へ傾けることにより、杖３２の先端で靴３３を持ち上げるようにした機能を有するものである。
【０００６】
ところが、上記の構造において、靴べら３１は杖３２の先端付近に取り付けられたもので、杖３２の柄３４は従来通りの構造によるものである。
【特許文献１】特開２００１−２８６３８３号公報
【考案の開示】
【考案が解決しようとする課題】
【０００７】
本考案は、上記のような従来の構造ではなく、杖と靴べらとが一体化された構造であって、杖として使用する際には靴べらが杖の柄として機能し、靴べらとして使用する際には杖が靴べらの柄として機能するようにして、杖と靴べらの使用をより利便にした靴べら兼用杖を提供することを目的とするものである。
【課題を解決するための手段】
【０００８】
上記の目的を達成するために、本考案の請求項１の靴べら兼用杖は、靴べらの柄部に設けられた回転板部を杖の上端に回動自在に取り付けてなり、前記靴べらを前記杖に対して直角に回動することにより該靴べらを前記杖の把持部とし、また前記靴べらの先端を前記杖に沿って真直ぐに伸ばした状態に回動することにより前記杖を柄として前記靴べらを使用するようにしたことを特徴とする。
【０００９】
また、本考案の請求項２の靴べら兼用杖は、請求項１において、靴べらに設けられた回転板部を杖の上端にネジで回動自在に取り付けてなり、前記ネジは緩み止めナットで締結するようにしたことを特徴とする。
【考案の効果】
【００１０】
本考案による靴べら兼用杖は、杖と靴べらが一体化された構造であって、靴べらの柄部に設けられた回転板部を杖の上端に回動自在に取り付けたことにより、靴べらを杖に対して直角に回動すると、靴べらを杖の把持部として利用することができ、また靴べらの先端を杖に沿って真直ぐに伸ばした状態に回動すると、杖を柄として靴べらを使用することができる。
【００１１】
従って、本考案による靴べら兼用杖を杖として使用する場合は、靴べらが杖の把持部となり、靴べらとして使用する場合は、長尺な杖が靴べらの柄となるものであり、この杖を靴べらの柄として利用することにより、屈まなくても靴べらを使用して靴を履くことができる。
【００１２】
また、上記の構造において、靴べらに設けられた回転板部を杖の上端にネジで回動自在に取り付け、ネジを緩み止めナットで締結したことにより、靴べらを回動する際に負荷がかかるように締結し、また回転板部を多数回、回動してもネジとナットの締結が緩まない構造とすることができる。
【考案を実施するための最良の形態】
【００１３】
以下、本考案の実施例について図面を参照しながら説明する。
【実施例１】
【００１４】
本考案による靴べら兼用杖１は、靴べら２の柄部３に設けられた回転板部４を杖５の上端に回動自在に取り付けてなるものである。このような構成についてより詳細に述べると、図１（ａ）は靴べら２を杖５に対して直角に回動した状態を示すものである。この図において、靴べら２は、合成樹脂、金属、木材又は竹材等により形成され、その形状は、通常の靴べらとしての使用に適するように、柄部３から先端の方向に次第に幅を広げ、先端部６は湾曲状に形成されている。また、靴べら２の形状は、その断面形状においても、通常の靴べらのように円弧を描くように形成されている。
【００１５】
この靴べら２の柄部３の内側の長手方向に沿って支持部材７の長形部８が固定されている。即ち、この支持部材７は、強度の強い合成樹脂又は金属等から形成され、靴べら２の内側の長手方向に沿う長形部８を有し、両端付近にはネジ孔８ａ、８ａが形成されると共に、このネジ孔８ａ、８ａに応じて靴べら２にもネジ孔９、９が形成され、両者の夫々のネジ孔８ａ、９にネジ１０を挿通してナット１１で締結することにより、靴べら２の内側に支持部材７の長形部８が固定された状態とされている。
【００１６】
また、図１（ａ）又は（ｂ）に示すように、支持部材７は、上記の長形部８から垂下した平板形状の回転板部４が一体形成されてなるものである。この回転板部４の略中央にはネジ孔１２が形成されている。
【００１７】
一方、杖５は合成樹脂、金属、木材又は竹材等の長尺の棒部材により形成され、その上端には合成樹脂、金属等により形成された挿着部材１３が取り付けられている。このように杖５の上端に挿着部材１３を固定する手段としては、ネジ１４とナット１５を使用して固定することもできるが、接着材等を利用する他、杖５の上端に挿着部材１３を一体成形するようにしても良い。
【００１８】
この挿着部材１３は、図１(ａ）又は（ｂ）に示すように、上端部が平板状に形成された平板部１７が設けられ、この平板部１７にネジ孔１８が形成され、このネジ孔１８と上記の靴べら２側の支持部材７における回転板部４に形成されたネジ孔１２とが合致されて挿通されたネジ１９を緩み止めナット２０で締結されている。このような構成により、挿着部材１３の平板部１７に支持部材７の回転板部４がネジ１９を介して結合され、該ネジ１９を中心にして靴べら２を回転可能としている。
【００１９】
なお、上記のように緩み止めナット２０を使用し、このナット２０の締結力を調整することにより、挿着部材１３の平板部１７に支持部材７の回転板部４が負荷を有して回動可能な状態にすると、靴べら２を所望の回動位置で停止状態にすることができ、また、回転板部４を多数回、回動してもネジ１９とナット２０の締結が緩まない構造とすることができる。
【００２０】
上記の構成により、図１（ａ）に示すように、靴べら２を杖５に対して直角に回動することにより、図４に示すように、靴べら２を杖５の把持部として使用することができる。このとき、靴べら２は杖５の把持部として機能する。なお、靴べら２を杖５に対して直角にした際、その状態で靴べら２を固定するストッパを設けることにより、靴べら２を握持部として使用する際の安全を図るようにしても良い。
【００２１】
また、図２に示すように、靴べら２の先端を杖５に沿って真直ぐに伸ばした状態に回動することにより、図５に示すように、長尺の杖５を靴べら２の柄として使用することができる。このとき、靴べら２を下方に向けた状態で杖５の端部を握ることにより、使用者は靴２１を履く際、腰を曲げることなく靴べら２の使用が可能となる。このとき、杖５は靴べら２の柄として機能する。
【００２２】
さらに、この靴べら兼用杖１を使用しないときは、図３に示すように、靴べら２の先端が下方を向くように回動して杖５の側部に添えることにより、コンパクトにして傘立て等に収納することが可能となる。
【産業上の利用可能性】
【００２３】
本考案の靴べら兼用杖は、杖として使用する際には靴べらが杖の把持部として機能し、靴べらとして使用する際には杖が靴べらの柄として機能するため、特に足腰の弱い老人が杖として使用するだけでなく、靴を履く際、屈まずに靴べらを使用できる靴べら兼用杖として利用することが可能である。
【図面の簡単な説明】
【００２４】
【図１】（ａ）は本考案の靴べら兼用杖の靴べらを杖に対して直角に回動した状態の側面図であり、（ｂ）はその状態の端面図である。
【図２】本考案の靴べら兼用杖の靴べらの先端を杖に沿って真直ぐに伸ばした状態を示す側面図である。
【図３】本考案の靴べら兼用杖の靴べらの先端を杖の側部に添えるように回動した状態を示す側面図である。
【図４】本考案の靴べら兼用杖の靴べらを杖に対して直角に回動した状態での使用状況を示す側面図である。
【図５】本考案の靴べら兼用杖の靴べらの先端を杖に沿って真直ぐに伸ばした状態での使用状況を示す側面図である。
【図６】（ａ）は特許文献１の部分斜視図、（ｂ）はその使用状況を示す図である。
【符号の説明】
【００２５】
１…靴べら兼用杖
２…靴べら
３…柄部
４…回転板部
５…杖
６…先端部
７…支持部材
８…長形部
８ａ…ネジ孔
９…ネジ孔
１０…ネジ
１１…ナット
１２…ネジ孔
１３…挿着部材
１４…ネジ
１５…ナット
１７…平板部
１８…ネジ孔
１９…ネジ
２０…緩み止めナット
２１…靴
【図１】
0003104366.tif 000003
【図２】
0003104366.tif 000004
【図３】
0003104366.tif 000005
【図４】
0003104366.tif 000006
【図５】
0003104366.tif 000007
【図６】
0003104366.tif 000008